【事件の表示】
　特願２０００−２７４７３７「自動調心型の対基板用コネクタ」拒絶査定不服審判事件〔平成１４年　３月２９日出願公開、特開２００２−　９３４９９〕について、次のとおり審決する。
【結　論】
　本件審判の請求は、成り立たない。
【理　由】
１．手続の経緯・本願発明 
　本願は、平成１２年９月１１日の出願であって、平成１７年１１月７日付けで拒絶査定がなされ（発送日：平成１７年１１月１１日）、これに対し、同年１２月１１日に拒絶査定不服審判が請求されたものであって、請求項１に係る発明（以下、同項に係る発明を「本願発明」という。）は、平成１７年８月２９日付け手続補正書の特許請求の範囲の請求項１に記載された次の事項により特定されるとおりのものである。
　
「基板に設けた取付孔に雄ハウジングを嵌合させて固定し、該雄ハウジングに雌ハウジングを嵌合させて組み立ててなる対基板用コネクタにおいて、
　前記雄ハウジングは、矩形状に形成され上部に開口部を有する筐体で構成され、該筐体の一方向であるＸ軸方向の両端に一体に、前記基板の取付孔の孔縁に弾性スナップを利かして係合する一対の係止フックが設けられていると共に、複数の雄端子が筐体長手方向に二列並びで収容されており、
　前記複数の雄端子は、前記雄ハウジングの筐体の内部空洞内で２列に配列されており、
　前記各雄端子は、１本の棒体で形成され一端が前記雄ハウジングの前記筐体の開口部に向かって立設するタブ部と、
　前記タブ部に連設され、前記取付孔側から前記雄ハウジングの筐体側板の下方をくぐり抜けて前記基板上面に跨り、前記雄ハウジングの筐体の前記雌ハウジングを嵌合させたときの前記Ｘ軸方向に直交する前記雄ハウジンの筐体のＹ軸方向に弾性撓みが可能な屈曲形状に形成される第１の基部と、
　前記第１の基部に連設され、前記基板上面に跨り前記取付孔の孔縁に突出して前記基板上に形成された回路パターンに半田付けされる第２の基部とによって構成され、
　前記雌ハウジングは、前記雄ハウジングの筐体内部に嵌合可能な矩形状の筐体で構成され、該筐体の筐体側板の内部に複数の端子嵌合孔が升目状に形成されており、前記各端子嵌合孔に前記雄ハウジング側の二列に配設された前記雄端子に接触する前記複数の雄端子と同数列同数の雌端子が圧入収容されており、前記筐体側板の雄ハウジング嵌合端側の縁端全周に沿って面取りテーパ部が形成されている、
　ことを特徴とする自動調心型の対基板用コネクタ。」
　　　
２．引用文献
　原査定の拒絶の理由に引用された特開平１１−１４４８２３号公報（以下「引用文献１」という。）には、図面とともに次のように記載されている。
　　　
ア「【発明の属する技術分野】本発明は、平行なプリント基板間を接続するためのコネクタ、更に詳しくは、プリント基板に実装したときその間隔を小さく抑えることができるプリント基板用のコネクタ及びその実装構造に関する。」（段落【０００１】）。
　　
イ「【課題を解決するための手段】本発明は、上記のような従来の諸問題点を解決するために成されたもので、コネクタの高さが低く、更には実装時においてプリント基板の板厚分だけ低くすることができるとゝもに、雌コネクタの挿抜時に加えられるこじり等の負荷に対しても安定した構造のものを提供することを目的としたものであり、」（段落【０００７】）。
　　　
ウ「【発明の実施の形態】以下、本発明を図１乃至図１５に示す実施例により詳細に説明するに、図において、１５は直方体形状の雄コネクタで、該雄コネクタ１５は、横長方形状の嵌合部材１６と、その周囲を囲む外枠部材２４と、該外枠部材２４及び前記嵌合部材１６に両端部を装着した雄形電気接触子３０とから夫々構成されている。前記嵌合部材１６は、図５に示すように、一対の対向する長辺側の両側壁１７と、該側壁１７の上端より高く設定した他方の対向する短辺側の両側壁１８とで囲まれた内部には横長方形状の凹部１９が形成されており、前記長辺側の両側壁１７の上端外側には支持板２０が、他方の短辺側の両側壁１８の外側のほぼ中程には規制板２１が夫々水平方向に延出している。」（段落【０００８】、【０００９】）
　　
エ「２４は前記嵌合部材１６の周囲を囲む外枠部材で、図８に示すように、コ字状の同一形状からなる２部材から構成されている。すなわち、前記嵌合部材１６の支持板２０側に配置される側ブロック２５と、該側ブロック２５の両端から同一方向に直角に延出したアーム部２６とからなり、前記側ブロック２５の内側には前記支持板２０が上下左右方向に移動可能な横溝２７が形成されている。・・・。３０は前記外枠部材２４及び嵌合部材１６に夫々装着した雄形電気接触子で、図９に示すように、弾性力を有する金属板により形成した、長方形状で垂直状態の接触部３１と、水平状態の端子部３２と、該端子部３２の後端と前記接触部３１の上端とを連結するＵ形状の連結部３３と、前記接触部３１の下端から左方向に水平に折曲した固定片３４と、前記端子部３２の後端から左方向に水平に折曲した固定片３５とから夫々構成されている。」（段落【００１１】〜【００１３】）
　　　
オ「上記のように組み立てた結果、前記嵌合部材１６と外枠部材２４は、雄形電気接触子３０のＵ形状の連結部３３を介して一体に連結されるとゝもに、嵌合部材１６は外枠部材２４に対して水平方向に可動可能となる。また、前記外枠部材２４のアーム部２６が嵌合部材１６の規制板２１の上面及び嵌合部材１６の背の高い側壁１８の外側に位置することによって、前記嵌合部材１６の水平方向及び上下方向の移動量を規制する。３６は前記雄コネクタ１５に嵌合自在な雌コネクタで、該雌コネクタ３６のハウジングには、前記雄コネクタ１５の凹部１９内に露出する雄形電気接触子３０の接触部３１と対応する位置に雌形電気接触子３７が収納されている。なお、この雌形電気接触子３７はチューニングホーク形で、図１４及び図１５に示すように、先端に向かって二股状に分岐していて、その先端の対接面が電気接点部となる接触部３８と、該接触部３８の上端に連結され、その中程から前記接触部３８に対して直交状に折曲された端子部３９とから構成されている。・・・。次に、前記雄コネクタ１５をプリント基板Ｐ１に実装する場合について説明するに、先ず図１２に示すように、プリント基板Ｐ１に雄コネクタ１５の外枠部材２４より一回り大きな長方形状の角穴４０を形成する。次いで、前記プリント基板Ｐ１の表面から前記角穴４０に雄コネクタ１５を該角穴４０に接触しないように挿入して、雄コネクタ１５の側方から突出する雄形電気接触子３０の端子部３２を表面のプリント回路箔に接触せしめて半田付けする。」（段落【００１６】〜【００１８】）
　　　
カ「次に、図１４及び図１５に示すように、プリント基板Ｐ１に実装された雄コネクタ１５の嵌合部材１６の凹部１９に、プリント基板Ｐ２に実装された雌コネクタ３６を嵌合すれば、雄形電気接触子３０の接触部３１が雌形電気接触子３７の接触部３８に挿入されて電気的に接続される。また、前記プリント基板Ｐ１に実装された雄コネクタ１５には、プリント基板Ｐ２に実装された雌コネクタ３６を嵌合又は抜き出す際にこじり等の負荷がかかるが、この負荷は、嵌合部材１６と外枠部材２４とは雄形電気接触子３０のＵ形状の連結部３３を介して連結されていて、嵌合部材１６が水平方向及び上下方に移動するため前記外枠部材２４にかかる負荷は小さくなること、そして、この外枠部材２４を介して雄形電気接触子３０の端子部３２にかかった負荷はプリント基板Ｐ１の前記角穴４０の両側で受けることになり、前記端子部３２の半田付け部分には殆ど負荷がかからない。」（段落【００２０】、【００２１】）。
　　　
　上記ア〜カ及び図面の記載からみて、引用文献１には、
「プリント基板Ｐ１に設けた長方形状の角穴４０に雄コネクタ１５を嵌合させて固定し、該雄コネクタ１５に雌コネクタ３６を嵌合させて組み立ててなるプリント基板用コネクタにおいて、
　前記雄コネクタ１５は、矩形状に形成され上部に開口部を有する嵌合部材１６で構成されと共に、複数の雄形電気接触子３０が嵌合部材１６長手方向に二列並びで収容されており、
　前記複数の雄形電気接触子３０は、前記雄コネクタ１５の嵌合部材１６の内部空洞内で２列に配列されており、
　前記各雄形電気接触子３０は、一端が前記雄コネクタ１５の前記嵌合部材１６の開口部に向かって立設し、弾性力を有する垂直状態の接触部３１と、
　前記垂直状態の接触部３１に連設され、前記長方形状の角穴４０側から前記雄コネクタ１５の嵌合部材１６側板をくぐり抜けて前記プリント基板Ｐ１上面に跨り、前記雄コネクタ１５の嵌合部材１６の前記雌コネクタ３６を嵌合させたときの長軸方向に直交する前記雄コネクタ１５の嵌合部材１６の短軸方向に弾性撓みが可能な屈曲形状に形成されるＵ形状の連結部３３と、
　前記Ｕ形状の連結部３３に連設され、前記プリント基板Ｐ１上面に跨り前記角穴４０の孔縁に突出して前記プリント基板Ｐ１上に形成されたプリント回路箔に半田付けされる水平状態の端子部３２とによって構成され、
　前記雌コネクタ３６は、前記雄コネクタ１５の嵌合部材１６内部に嵌合可能な矩形状の筐体で構成され、該筐体の筐体側板の内部に複数の端子収納孔が形成されており、前記各端子収納孔に前記雄コネクタ１５側の二列に配設された前記雄形電気接触子３０に接触する前記複数の雄形電気接触子３０と同数列同数の雌形電気接触子３７が収納されている
　ことを特徴とするプリント基板用コネクタ。」
が記載されている。
　　　
　同じく、原査定の拒絶の理由に引用された特開２０００−１３３３４２号公報（以下、「引用文献２」という。）には、図面とともに次のように記載されている。
　　
キ「本発明に係るフローティング電気コネクタ（実施の形態例４）にあっては、プラグコネクタ本体５０及びレセプタクルコネクタ本体５１を一方及び他方のプリント基板１０、４０に固定するコネクタフローティング固定手段を、プラグコネクタ本体５０及びレセプタクルコネクタ本体５１のそれぞれの可動ハウジング３，３０の左、右端部に取付部７０を介して引掛部である係止体７１を設けて構成し、また、一方及び他方のプリント基板１０、４０に、多数対のパターン接点部２９、４６の他に前後方向に長い係止孔部７２を一対設け、係止体７１を係止孔部７２に係止するようにしたものであり、他の構成は上記した本発明の実施の形態例３の同様であるために、同じ符号を付して説明を省略する。なお、プラグコネクタ本体５０及びレセプタクルコネクタ本体５１のそれぞれの可動ハウジング３，３０と取付部７０と係止体７１とは一体成形してもよい。すなわち、係止体７１は割り溝７３により２本に分けられたピン状体７４の先側に外方向に向く係止爪部７５を形成して構成してあり、この係止体７１を、一方及び他方のプリント基板１０、４０の係止孔部７２に挿入して、係止爪部７５を係止孔部７２に引っ掛けることにより、このプラグコネクタ本体５０及びレセプタクルコネクタ本体５１を一方及び他方のプリント基板１０、４０に固定してある。この場合、係止体７１の係止爪部７５を係止孔部７２に引っ掛けることにより、プラグコネクタ本体５０及びレセプタクルコネクタ本体５１を一方及び他方のプリント基板１０、４０側に押え付け、プラグコネクタ本体５０及びレセプタクルコネクタ本体５１のコンタクト１９、３１の端子リード部２１、４１の接点部２４、４４を、対応するパターン接点部２９、４６に確実に接触する。」（段落【００８１】〜【００８３】）
　　　
ク「そして、一方のプリント基板１０（他方のプリント基板４０）に対して他方のプリント基板４０（一方のプリント基板１０）を近付けることにより、プラグコネクタＡの嵌合凸部（コンタクト保持部）６をレセプタクルコネクタＢの嵌合凹部３４に嵌合させ、コンタクト１９の接触部２３の接点部２３Ａをコンタクト３１の接触部４３に接触して、一方のプリント基板１０と他方のプリント基板４０を接続する。」（段落【００８５】）
　　
ケ「このプラグコネクタＡとレセプタクルコネクタＢとの結合時に、左右及び前後方向に多少の「ずれ」がある場合には、プラグコネクタ本体５０及びレセプタクルコネクタ本体５１が、左右方向及び前後方向にそれぞれ約０．５ｍｍ程度移動することが可能であるために、「ずれ」が吸収されて、プラグコネクタＡとレセプタクルコネクタＢとの結合は完全に行われる。・・・。【発明の効果】 以上説明したように、本発明に係るフローティング電気コネクタによれば、コネクタ本体を、可動ハウジングに、リード端子部に接点部を設けたコンタクトを多数装着して構成し、このコネクタ本体を、前記リード端子部の前記接点部を基板のパターン接点部に摺接させてこの基板上に配置し、コネクタフローテング保持手段により前記コネクタ本体を前記基板に、この基板の平面方向に移動可能に保持したことにより、コネクタ本体は、そのコンタクトのリード端子部の接点部を基板のパターン接点部に摺接させて、基板の平面方向に移動することが可能であるために、コネクタ本体に相手コネクタを結合する際、左右及び前後方向に多少の「ずれ」がある場合には、コネクタ本体が、左右方向及び前後方向にそれぞれに移動して「ずれ」を吸収することができる。」（段落【００８６】〜【００８８】）。
　　　
　そして、引用文献２には、係止体７１の係止爪部７５を係止孔部７２に挿入係合する際、弾性スナップを利かせて係合するとの記載はないが、このような係止体をある程度剛性を有する材料で形成することは、従来普通のことであって、引用文献２に記載のものにおいても、係止体７１をそのような材料で形成しているものと認められる。また、そのような材料、すなわちある程度剛性を有する材料で形成した引用文献２に記載の係止体７１においては、その形状から、プリント基板１０の係止孔部７２の孔縁に弾性スナップを利かせて係合するものと認められる。
　　
　上記キ〜ケの記載及び図面の記載からみて、引用文献２には、
「プリント基板１０にプラグコネクタＡを固定し、該プラグコネクタＡにレセプタクルコネクタＢを嵌合させて組み立ててなる対基板用フローティング電気コネクタにおいて、前記プラグコネクタＡは、矩形状に形成されて上部に開口部を有する筐体で構成され、該筐体の一方向である長手方向の両端に一体に、前記プリント基板１０の係止孔部７２の孔縁に弾性スナップを利かせて係合する一対の係止体７１が設けられ、プラグコネクタＡにレセプタクルコネクタＢを嵌合する際、長手方向等の「ずれ」を吸収する対基板用フローティング電気コネクタ。」
　が記載されている。
　　
３．対比
　本願発明と引用文献１に記載された発明とを対比すると、引用文献１に記載された発明における「プリント基板Ｐ１」は、その機能に照らし、本願発明における「基板」に相当し、以下同様に、「長方形状の角穴４０」は「取付孔」に、「雄コネクタ１５」は「雄ハウジング」に、「雌コネクタ３６」は「雌ハウジング」に、「プリント基板用コネクタ」は「対基板用コネクタ」に、「嵌合部材１６」は「（雄ハウジングを構成する）筐体」に、「雄形電気接触子３０」は「雄端子」に、「垂直状態の接触部３１」は「タブ部」に、「長軸方向」は「Ｘ軸方向」に、「短軸方向」は「Ｙ軸方向」に、「Ｕ形状の連結部３３」は「第１の基部」に、「プリント回路箔」は「回路パターン」に、「水平状態の端子部３２」は「第２の基部」に、「端子収納孔」は「端子嵌合孔」に、「雌形電気接触子３７」は「雌端子」に、それぞれ相当する。
　また、引用文献１に記載された発明における「プリント基板用コネクタ」は、雌、雄コネクタ３６、１５の嵌合時、位置ずれや成形精度誤差を自動吸収できるものと認められるから、「自動調心型の対基板用コネクタ」といい得る。
　
　したがって、両者は、
「基板に設けた取付孔に雄ハウジングを嵌合させて固定し、該雄ハウジングに雌ハウジングを嵌合させて組み立ててなる対基板用コネクタにおいて、
　前記雄ハウジングは、矩形状に形成され上部に開口部を有する筐体で構成されると共に、複数の雄端子が筐体長手方向に二列並びで収容されており、　前記複数の雄端子は、前記雄ハウジングの筐体の内部空洞内で２列に配列されており、
　前記各雄端子は、一端が前記雄ハウジングの前記筐体の開口部に向かって立設するタブ部と、
　前記タブ部に連設され、前記取付孔側から前記雄ハウジングの筐体側板をくぐり抜けて前記基板上面に跨り、前記雄ハウジングの筐体の前記雌ハウジングを嵌合させたときのＸ軸方向に直交する前記雄ハウジンの筐体のＹ軸方向に弾性撓みが可能な屈曲形状に形成される第１の基部と、
　前記第１の基部に連設され、前記基板上面に跨り前記取付孔の孔縁に突出して前記基板上に形成された回路パターンに半田付けされる第２の基部とによって構成され、
　前記雌ハウジングは、前記雄ハウジングの筐体内部に嵌合可能な矩形状の筐体で構成され、該筐体の筐体側板の内部に複数の端子嵌合孔が形成されており、前記各端子嵌合孔に前記雄ハウジング側の二列に配設された前記雄端子に接触する前記複数の雄端子と同数列同数の雌端子が収容されている、
　ことを特徴とする自動調心型の対基板用コネクタ。」
　で一致し、以下の点で相違している。
　　
［相違点１］
　本願発明では、筐体の一方向であるＸ軸方向の両端に一体に、基板の取付孔の孔縁に弾性スナップを利かして係合する一対の係止フックが設けられているのに対し、引用文献１に記載された発明では、このような係止フックが設けられていない点。
　　　
［相違点２］
　本願発明では、各雄端子は、１本の棒体で形成されているのに対し、引用文献１に記載された発明では、各雄端子は、弾性力を有する金属板により形成されている点。
　　　
［相違点３］
　本願発明では、第１の基部は、取付孔側から雄ハウジングの筐体側板の下方をくぐり抜けて基板上面に跨るのに対し、引用文献１に記載された発明では、第１の基部は、取付孔側から雄ハウジングの筐体側板をくぐり抜けて基板上面に跨る点。
　　　
［相違点４］
　本願発明では、筐体の筐体側板の内部に複数の端子嵌合孔が升目状に形成されており、前記各端子嵌合孔に雌端子が圧入収容されているのに対し、引用文献１に記載された発明では、筐体の筐体側板の内部に複数の端子嵌合孔が形成されており、前記各端子嵌合孔に雌端子が収納されている点。
　　　
［相違点５］
　本願発明では、雌ハウジングは、筐体側板の雄ハウジング嵌合端側の縁端全周に沿って面取りテーパ部が形成されているのに対し、引用文献１に記載された発明では、このようなテーパ部が形成されているのか否か明確でない点。
　　　
４．当審の判断
　そこで、上記相違点について検討する。
　　
［相違点１］について
　引用文献２に記載された発明における「プリント基板１０」はその機能に照らし、本願発明における「基板」に相当し、以下同様に、「プラグコネクタＡ」は「雄ハウジング」に、「レセプタクルコネクタＢ」は「雌ハウジング」に、「対基板用フローティング電気コネクタ」は「対基板用コネクタ」に、「長手方向」は「Ｘ軸方向」に、「係止体７１」は「係止フック」にそれぞれ相当する。
　したがって、引用文献２には、
「基板に雄ハウジングを固定し、該雄ハウジングに雌ハウジングを嵌合させて組み立ててなる対基板用コネクタにおいて、前記雄ハウジングは、矩形状に形成され上部に開口部を有する筐体で構成され、該筐体の一方向であるＸ軸方向の両端に一体に、前記基板の係止孔部に弾性スナップを利かして係合する一対の係止フックが設けられ、雄ハウジングに雌ハウジングを嵌合する際、Ｘ軸方向等の「ずれ」を吸収する対基板用コネクタ。」
が記載されていると言い代えることができる。
　
　そして、引用文献１及び引用文献２に記載のものは、いずれも対基板用コネクタに関する技術であり、嵌合に際してのずれを吸収する事は、コネクタにおいては、共通の課題といえる。
　
　してみると、Ｘ軸方向への嵌合ずれを吸収するために、引用文献１に記載の対基板用コネクタに、引用文献２に記載の上記技術を適用し、筐体の一方向であるＸ軸方向の両端に一体に、基板の取付孔に弾性スナップを利かして係合する一対の係止フックを設ける程度のことは、当業者が容易に想到し得たことである。
　
［相違点２］について
　雄端子を１本の棒体で形成することは、従来周知の事項であるから（例えば、実用新案登録第３０４４２９３号公報、特開平９−３３０７６４号公報、特開平８−９６９１８号公報　参照）、引用文献１に記載の対基板用コネクタおいて、各雄端子を１本の棒体で形成することは、当業者が容易に想到し得たことである。
　　　
［相違点３］について
　第１の基部を取付孔側から雄ハウジングの筐体側板をくぐり抜けて基板上面に跨るように設けるに際し、筐体側板をくぐり抜けさせるのに、引用文献１に記載されたもののように、筐体側板に細穴を形成し該細穴を介してくぐり抜けさせることも、また筐体側板の下方を介してくぐり抜けさせることも、当業者が普通に採用し得る設計上の事項にすぎないものである。
　
　してみると、引用文献１記載の発明における第１の基部を、取付孔側から雄ハウジングの筐体側板の下方をくぐり抜けて基板上面に跨るようにすることは、当業者が容易に想到し得たことである。
　　　
［相違点４］について
　筐体の筐体側板の内部に複数の端子嵌合孔が升目状に形成され、該各端子嵌合孔に雌端子を圧入収容させることは、従来周知の事項である（例えば、実用新案登録第３０４４２９３号公報、特開平８−９６９１８号公報、特開平４−３４５７７７号公報参照）。
　　　
　してみると、引用文献１に記載された発明の構成に代えて、筐体の筐体側板の内部に複数の端子嵌合孔が升目状に形成され、該各端子嵌合孔に雌端子を圧入収容させるとすること、即ち［相違点４］における本願発明の構成とすることは、従来周知の事項に基づき当業者が容易に想到し得たことである。
　　　
［相違点５］について
　雄部材を雌部材に嵌合するに際し、雄部材又は雌部材の両者が当接する箇所に面取りテーパ部を形成して両者の嵌合を円滑にすることは、例示するまでもなく従来周知の事項である。また引用文献１においても、雄ハウジングではあるが、雌ハウジングとの当接部に面取りテーパ部を形成することが示されているものと認められる（引用文献１の図１４、図１５参照）。
　
　してみると、雌ハウジングの筐体の、筐体側板の雄ハウジング嵌合端側の縁端全周に沿って面取りテーパ部を形成する程度のことは、上記従来周知の事項等を参酌し、当業者が容易に想到し得たことである。
　そして、本願発明が奏する作用、効果は、引用文献１及び引用文献２の記載、並びに従来周知の事項から当業者が予測することができたものである。　
５．むすび
　以上のとおり、本願発明は、引用文献１及び引用文献２に記載された発明、並びに従来周知の事項に基づいて当業者が容易に発明をすることができたものであるから、特許法第２９条第２項の規定により特許を受けることができない。
　
　よって、結論のとおり審決する。